(57)【特許請求の範囲】
【請求項１】
直流電圧への変換指示を受け付けた場合に、端子対間に印加された交流電圧を直流電圧に変換し、交流電圧への変換指示を受け付けた場合に、外部から印加された直流電圧を交流電圧に変換し、変換した交流電圧を前記端子対から出力する変換装置であって、
前記端子対間に各別に接続される第１コンデンサ、並びに、スイッチ、及び、該第１コンデンサよりも容量が大きい第２コンデンサの直列回路を備え、
前記直流電圧への変換指示を受け付けた場合に前記スイッチをオフにし、前記交流電圧への変換指示を受け付けた場合に前記スイッチをオンにするように構成してあること
を特徴とする変換装置。
【発明の詳細な説明】
【技術分野】
【０００１】
本発明は、交流電圧から直流電圧への変換と、直流電圧から交流電圧への変換とを行う変換装置に関する。
【背景技術】
【０００２】
家庭に引き込まれた商用電源が出力する交流電圧を直流電圧に変換する変換装置を搭載し、変換装置が変換した直流電圧をバッテリに印加してバッテリを充電するプラグインハイブリッド車又は電気自動車が普及している。
【０００３】
近年、プラグインハイブリッド車又は電気自動車のバッテリを、車載機器だけでなく、他の電気機器に給電する移動用、災害用又は非常用の電源として利用することが期待されている。従って、バッテリが他の電気機器の電源としても機能するプラグインハイブリッド車又は電気自動車は、交流電圧から直流電圧への変換と、直流電圧から交流電圧への変換とを双方向に行う変換装置を搭載する必要がある。
【０００４】
特許文献１には、交流電圧から直流電圧への変換と、直流電圧から交流電圧への変換とを双方向に行う変換装置が開示されている。この変換装置は、２つの端子対を備え、交流電圧を直流電圧に変換する場合、一の端子対間に印加された交流電圧の高周波ノイズを、一の端子対間に接続してあるコンデンサによって除去し、高周波ノイズを除去した交流電圧を直流電圧に変換し、変換した直流電圧を他の端子対から出力する。
【０００５】
また、特許文献１に記載の変換装置は、他の端子対に印加された直流電圧を、高周波成分を含む交流電圧に変換し、変換した交流電圧に含まれる高周波成分を、前記コンデンサを含む複数の素子を用いて除去する。これにより、高周波成分を除去した正弦波状の交流電圧が一の端子対から出力される。
【先行技術文献】
【特許文献】
【０００６】
【特許文献１】特開２０１０−１７８５６６号公報
【発明の概要】
【発明が解決しようとする課題】
【０００７】
交流電圧を直流電圧に変換する場合に一の端子対間に印加される交流電圧から除去すべき高周波ノイズは、一般に、直流電圧から交流電圧に変換する場合に変換した交流電圧から除去すべき高周波成分よりも高い周波数帯域に存在する。
【０００８】
ここで、一対の端子間に接続してあるコンデンサは、コンデンサに接続されている電線のリアクタンス成分との相互作用により、交流電圧から所定周波数（以下、カットオフ周波数と記載）を超える周波数成分を除去することができ、コンデンサの容量が大きい程、カットオフ周波数は低い。
【０００９】
このため、特許文献１に記載の変換装置では、高周波ノイズ及び高周波成分両方を除去することが可能なカットオフ周波数が低いコンデンサ、即ち、容量が大きいコンデンサを用いなければならない。従って、高周波ノイズの除去に必要以上に容量が大きいコンデンサが用いられるので、一の端子対間に印加された交流電圧と、一の端子対間に流れる交流電流との位相が大きくずれる。これにより、特許文献１に記載の変換装置には、交流電圧を直流電圧に変換する場合に力率が必要以上に低下するという問題点がある。
【００１０】
本発明は斯かる事情に鑑みてなされたものであり、その目的とするところは、力率を必要以上に低下させることなく交流電圧から直流電圧への変換と、直流電圧から交流電圧への変換とを行うことができる変換装置を提供することにある。
【課題を解決するための手段】
【００１１】
本発明に係る変換装置は、直流電圧への変換指示を受け付けた場合に、端子対間に印加された交流電圧を直流電圧に変換し、交流電圧への変換指示を受け付けた場合に、外部から印加された直流電圧を交流電圧に変換し、変換した交流電圧を前記端子対から出力する変換装置であって、前記端子対間に各別に接続される第１コンデンサ、並びに、スイッチ、及び、該第１コンデンサよりも容量が大きい第２コンデンサの直列回路を備え、前記直流電圧への変換指示を受け付けた場合に前記スイッチをオフにし、前記交流電圧への変換指示を受け付けた場合に前記スイッチをオンにするように構成してあることを特徴とする。
【００１２】
本発明にあっては、直流電圧への変換指示を受け付けた場合、スイッチをオフにする。この場合、端子対間には、容量が第２コンデンサよりも小さい第１コンデンサによって高周波ノイズが適切に除去された交流電圧が印加され、高周波ノイズが除去された交流電圧は直流電圧に変換される。第１コンデンサの容量を高周波ノイズの除去に適した第２コンデンサの容量よりも小さな容量にすることによって、端子対間に印加される交流電圧と端子間に流れる交流電流との位相ずれは小さくなり、力率は必要以上に低下しない。
【００１３】
また、交流電圧への変換指示を受け付けた場合、スイッチをオンにする。この場合、外部から印加された直流電圧を交流電圧に変換し、変換した交流電圧は端子対から出力される。端子対から出力した交流電圧の高周波成分は、容量が第１コンデンサよりも大きい第２コンデンサによって適切に除去される。
【発明の効果】
【００１４】
本発明によれば、第１コンデンサの両端子間に印加された交流電圧を直流電圧に変換し、直流電圧から変換した交流電圧を第１コンデンサよりも容量が大きい第２コンデンサに印加するため、力率を必要以上に低下させることなく交流電圧から直流電圧への変換と、直流電圧から交流電圧への変換とを行うことができる。
【図面の簡単な説明】
【００１５】
【図１】本発明に係る変換装置の要部構成を示す回路図である。
【図２】第１回路の要部構成を示す回路図である。
【図３】第２回路の要部構成を示す回路図である。
【図４】第３回路の要部構成を示す回路図である。
【図５】第１回路をインバータとして機能させる制御部の制御を説明するための説明図である。
【図６】制御部が実行する動作の手順を示すフローチャートである。
【発明を実施するための形態】
【００１６】
以下、本発明をその実施の形態を示す図面に基づいて詳述する。
図１は本発明に係る変換装置の要部構成を示す回路図である。この変換装置１は、好適に車両に搭載され、バッテリ２の正極端子及び負極端子夫々に接続されている。変換装置１は、交流電源（商用電源）３の両端子夫々に接続する端子Ｒ１，Ｒ２と、電気機器４の両端子夫々に接続する端子Ｓ１，Ｓ２とを備える。
【００１７】
変換装置１は、交流電源３が端子Ｒ１，Ｒ２間に接続して端子Ｓ１，Ｓ２が開放された状態で、交流電圧から直流電圧への変換指示であるＡＣ／ＤＣ変換指示を受け付けた場合、交流電源３が出力した交流電圧を直流電圧に変換し、変換した直流電圧をバッテリ２に印加する。
【００１８】
また、変換装置１は、電気機器４が端子Ｓ１，Ｓ２間に接続して端子Ｒ１，Ｒ２が開放された状態で、直流電圧から交流電圧への変換指示であるＤＣ／ＡＣ変換指示を受け付けた場合、バッテリ２が出力した直流電圧を交流電圧に変換し、変換した交流電圧を電気機器４に印加する。これにより、変換装置１はバッテリ２の電力を電気機器４に供給する。
なお、特許請求の範囲における「外部」は、変換装置１の外部であり、特許請求の範囲における「外部から印加された直流電圧」は、バッテリ２が出力した直流電圧に該当する。
【００１９】
まず、変換装置１の構成、主には接続関係を述べる。
変換装置１は、端子Ｒ１，Ｒ２，Ｓ１，Ｓ２の他に、ノイズフィルタ５、変換部６、受付部７、制御部８、コンデンサＣ１、及び、スイッチ９ａ，９ｂを備える。変換部６は端子Ｔ１，Ｔ２，Ｕ１，Ｕ２を有する。
【００２０】
変換装置１内において、端子Ｒ１，Ｒ２夫々はノイズフィルタ５を介して変換部６の端子Ｔ１，Ｔ２に接続されている。端子Ｓ１，Ｓ２間には、コンデンサＣ１が接続されており、コンデンサＣ１の一方の端子はスイッチ９ａを介して端子Ｔ１に、コンデンサＣ１の他方の端子はスイッチ９ｂを介して端子Ｔ２に接続されている。
【００２１】
また、変換部６の端子Ｕ１，Ｕ２夫々はバッテリ２の正極端子及び負極端子に接続されている。更に、端子Ｕ１，Ｕ２は制御部８に各別に接続され、制御部８は変換部６及び受付部７に接続されている。
【００２２】
ノイズフィルタ５は、コンデンサＣ２、又は、図示しないコモンモードチョークコイル等の素子を有し、コンデンサＣ２の一方の端子は変換部６の端子Ｔ１に、コンデンサＣ２の他方の端子は端子Ｔ２に接続されている。
【００２３】
ここで、コンデンサＣ２は、ノイズフィルタ５内で端子Ｔ１，Ｔ２間に接続される複数のコンデンサを代表するコンデンサであり、コンデンサＣ２の容量は、前記複数のコンデンサの合成容量である。
なお、ノイズフィルタ５内で端子Ｔ１，Ｔ２間に接続されるコンデンサの数は１つでもよい。この場合は、該コンデンサがコンデンサＣ２であり、コンデンサＣ２の容量は端子Ｔ１，Ｔ２間に接続されるコンデンサの容量である。
【００２４】
変換部６は、端子Ｔ１，Ｔ２，Ｕ１，Ｕ２の他に第１回路６１、第２回路６２、第３回路６３、及び、変圧器６４を有する。
変換部６内で、第１回路６１は、端子Ｔ１，Ｔ２に各別に接続され、第２回路６２に一対の電線によって接続されている。変圧器６４はコイルＬ１，Ｌ２を有し、コイルＬ１の両端子は第２回路６２に各別に接続され、コイルＬ２の両端子は第３回路６３に各別に接続されている。第３回路６３は端子Ｕ１，Ｕ２に各別に接続されている。
【００２５】
制御部８は、第１回路６１、第２回路６２、及び、第３回路６３夫々に接続している。更に、制御部８は、端子Ｔ１，Ｔ２夫々と、第１回路６１及び第２回路６２間を接続する一対の電線夫々とに各別に接続している。
【００２６】
図２は第１回路６１の要部構成を示す回路図である。第１回路６１は、コイルＬ３，Ｌ４、パワーデバイス１１，１２，１３，１４、ダイオードＤ１，Ｄ２，Ｄ３，Ｄ４、及び、コンデンサＣ３を有する。パワーデバイス１１，１２，１３，１４夫々は、ＩＧＢＴ（Insulated Gate Bipolar Transistor）又はＭＯＳＦＥＴ（Metal-Oxide-Semiconductor Field Effect Transistor）等である。本実施の形態では、パワーデバイス１１，１２，１３，１４夫々をＩＧＢＴとして記載する。
【００２７】
コイルＬ３，Ｌ４夫々の一方の端子は端子Ｔ１，Ｔ２に接続されている。コイルＬ３の他方の端子は、パワーデバイス１１のエミッタ、及び、パワーデバイス１２のコレクタに接続されている。コイルＬ４の他方の端子は、パワーデバイス１３のエミッタ、及び、パワーデバイス１４のコレクタに接続されている。
【００２８】
パワーデバイス１１，１３夫々のコレクタは、コンデンサＣ３の一方の端子に、パワーデバイス１２，１４夫々のエミッタは、コンデンサＣ３の他方の端子に接続されている。コンデンサＣ３の両端は第２回路６２に各別に接続されている。パワーデバイス１１，１２，１３，１４夫々のゲートは制御部８に各別に接続されている。
【００２９】
パワーデバイス１１，１２，１３，１４夫々はスイッチとして機能する。パワーデバイス１１，１２，１３，１４夫々について、制御部８が所定電圧以上の電圧をゲートに印加した場合、電流がコレクタからエミッタに流れることが可能となり、パワーデバイス１１，１２，１３，１４夫々はオンとなる。
【００３０】
また、パワーデバイス１１，１２，１３，１４夫々について、制御部８がゲートに印加される電圧を所定電圧未満の電圧に調整した場合、電流がコレクタからエミッタに流れず、パワーデバイス１１，１２，１３，１４夫々はオフとなる。
【００３１】
ダイオードＤ１，Ｄ２，Ｄ３，Ｄ４夫々について、カソードがパワーデバイス１１，１２，１３，１４のコレクタに、アノードがパワーデバイス１１，１２，１３，１４のエミッタに接続されている。
コイルＬ３，Ｌ４夫々のインダクタンスは同じであり、例えば、５００μＨから１０００μＨの範囲内にある値である。
【００３２】
図３は第２回路６２の要部構成を示す回路図である。第２回路６２は、パワーデバイス２１，２２，２３，２４、及び、ダイオードＤ５，Ｄ６，Ｄ７，Ｄ８を有する。パワーデバイス２１，２２，２３，２４夫々は、ＩＧＢＴ又はＭＯＳＦＥＴ等である。本実施の形態では、パワーデバイス２１，２２，２３，２４夫々をＩＧＢＴとして記載する。
パワーデバイス２１，２３夫々のコレクタは、第１回路６１が有するコンデンサＣ３の一方の端子に接続しており、パワーデバイス２２，２４夫々のエミッタは、コンデンサＣ３の他方の端子に接続している。
【００３３】
パワーデバイス２１のエミッタは、パワーデバイス２２のコレクタ、及び、変圧器６４が有するコイルＬ１の一方の端子に接続してある。また、パワーデバイス２３のエミッタは、パワーデバイス２４のコレクタ、及び、変圧器６４が有するコイルＬ１の他方の端子に接続してある。
【００３４】
パワーデバイス２１，２２，２３，２４夫々のゲートは制御部８に各別に接続されている。
パワーデバイス２１，２２，２３，２４夫々はスイッチとして機能する。パワーデバイス２１，２２，２３，２４夫々について、制御部８が所定電圧以上の電圧をゲートに印加した場合、電流がコレクタからエミッタに流れることが可能となり、パワーデバイス２１，２２，２３，２４夫々はオンとなる。
【００３５】
また、パワーデバイス２１，２２，２３，２４夫々について、制御部８がゲートに印加される電圧を所定電圧未満の電圧に調整した場合、電流がコレクタからエミッタに流れず、パワーデバイス２１，２２，２３，２４夫々はオフとなる。
【００３６】
ダイオードＤ５，Ｄ６，Ｄ７，Ｄ８夫々について、カソードがパワーデバイス２１，２２，２３，２４のコレクタに、アノードがパワーデバイス２１，２２，２３，２４のエミッタに接続されている。
【００３７】
図４は第３回路６３の要部構成を示す回路図である。第３回路６３は、パワーデバイス３１，３２，３３，３４、ダイオードＤ９，Ｄ１０，Ｄ１１，Ｄ１２、及び、コンデンサＣ４を有する。パワーデバイス３１，３２，３３，３４夫々は、ＩＧＢＴ又はＭＯＳＦＥＴ等である。本実施の形態では、パワーデバイス３１，３２，３３，３４夫々をＩＧＢＴとして記載する。
【００３８】
パワーデバイス３１のエミッタは、変圧器６４のコイルＬ２の一方の端子、及び、パワーデバイス３２のコレクタに接続してある。また、パワーデバイス３３のエミッタは、コイルＬ２の他方の端子、及び、パワーデバイス３４のコレクタに接続してある。
【００３９】
パワーデバイス３１，３３夫々のコレクタはコンデンサＣ４の一方の端子に、パワーデバイス３２，３４夫々のエミッタはコンデンサＣ４の他方の端子に接続されている。コンデンサＣ４について、一方の端子は端子Ｕ１に、他方の端子は端子Ｕ２に接続してある。
【００４０】
パワーデバイス３１，３２，３３，３４夫々のゲートは制御部８に各別に接続されている。
パワーデバイス３１，３２，３３，３４夫々はスイッチとして機能する。パワーデバイス３１，３２，３３，３４夫々について、制御部８が所定電圧以上の電圧をゲートに印加した場合、電流がコレクタからエミッタに流れることが可能となり、パワーデバイス３１，３２，３３，３４夫々はオンとなる。
【００４１】
また、パワーデバイス３１，３２，３３，３４夫々について、制御部８がゲートに印加される電圧を所定電圧未満の電圧に調整した場合、電流がコレクタからエミッタに流れず、パワーデバイス３１，３２，３３，３４夫々はオフとなる。
【００４２】
ダイオードＤ５，Ｄ６，Ｄ７，Ｄ８夫々について、カソードがパワーデバイス３１，３２，３３，３４のコレクタに、アノードがパワーデバイス３１，３２，３３，３４のエミッタに接続されている。
【００４３】
次に、交流電源３が端子Ｒ１，Ｒ２間に接続して端子Ｓ１，Ｓ２が開放された状態で、ＡＣ／ＤＣ変換指示を受け付けた変換装置１が行う動作の一例を説明する。
【００４４】
受付部７は、ＡＣ／ＤＣ変換指示を受け付け、ＡＣ／ＤＣ変換指示を受け付けた旨を制御部８に通知する。制御部８は、受付部７がＡＣ／ＤＣ変換指示を受け付けた場合、スイッチ９ａ，９ｂ夫々をオフにする。
【００４５】
ノイズフィルタ５は、交流電源３によって端子Ｒ１，Ｒ２間に印加された交流電圧の高周波ノイズを除去し、高周波ノイズを除去した交流電圧を端子Ｔ１，Ｔ２間に印加する。
【００４６】
コンデンサＣ２のインピーダンスは周波数が高い交流電圧に対しては低い。このため、交流電圧の高周波成分に係る交流電流は、端子Ｒ１（又は端子Ｒ２）からコンデンサＣ２を通過して端子Ｒ２（又は端子Ｒ１）に還流し、端子Ｔ１（又は端子Ｔ２）に流れることはない。これにより、交流電源３によって端子Ｒ１，Ｒ２間に印加された交流電圧の高周波成分、即ち、所定周波数（カットオフ周波数）を超える周波数の成分が除去され、端子Ｔ１，Ｔ２間に印加される。
ここで、カットオフ周波数はコンデンサＣ２の容量によって決まり、コンデンサＣ２の容量が大きい程低い。
【００４７】
コンデンサＣ２は、交流電源３によって端子Ｒ１，Ｒ２間に印加された交流電圧の高周波ノイズの除去以外の用途に用いられることはない。このため、コンデンサＣ２の容量は、交流電源３によって端子Ｒ１，Ｒ２間に印加された交流電圧の高周波ノイズに係る周波数成分を除去することが可能な容量であればよく、１０ｎＦ〜１０００ｎＦの範囲内の小さな値、例えば２２０ｎＦである。
【００４８】
従って、コンデンサＣ２の容量を高周波ノイズの除去に適した小さな容量にすることによって、交流電源３が端子Ｒ１，Ｒ２間に印加する交流電圧と端子Ｒ１，Ｒ２間に流れる交流電流との位相ずれは小さく、力率は必要以上に低下しない。
【００４９】
なお、コンデンサＣ２の容量は、変換装置１が直流電圧から交流電圧への変換を行う場合に変換部６が端子Ｔ１，Ｔ２から出力する交流電圧の高周波ノイズを除去するコンデンサＣ１の容量よりも小さい。また、端子Ｔ１，Ｔ２で構成される端子対は特許請求の範囲における端子対に、コンデンサＣ２は特許請求の範囲における第１コンデンサに該当する。
【００５０】
第１回路６１は、ノイズフィルタ５によって端子Ｔ１，Ｔ２間に印加された交流電圧を高い力率で直流電圧に整流し、整流した直流電圧を平滑化する。平滑化された直流電圧は第２回路６２に出力される。
【００５１】
制御部８は、受付部７がＡＣ／ＤＣ変換指示を受け付けた場合、パワーデバイス１２，１４をオン／オフすることによって力率を改善する。制御部８は、交流電圧から直流電圧への変換が行われている間、パワーデバイス１１，１３をオフに維持している。
【００５２】
制御部８は、端子Ｔ２の電位を基準として端子Ｔ１に正の電圧が印加されている間、パワーデバイス１４をオフに維持した状態で、パワーデバイス１２のオン／オフを繰り返す。
【００５３】
制御部８がパワーデバイス１２をオンにした場合、電流は端子Ｔ１からコイルＬ３、パワーデバイス１２、ダイオードＤ４、コイルＬ４及び端子Ｔ２の順に流れる。その後、制御部８がパワーデバイス１２をオフにした場合、コイルＬ３は、自身に流れる電流の変化がなくなるように、即ち、同様の電流が流れ続けるように、コイルＬ３におけるパワーデバイス１１側の端子の電圧を上昇させる。これにより、電流がコイルＬ３、ダイオードＤ１、コンデンサＣ３、ダイオードＤ４、及び、コイルＬ４を経由する経路に流れる。
【００５４】
該経路に流れる電流の量は、コイルＬ３におけるパワーデバイス１１側の端子の電圧が大きい程多量となる。また、制御部８は、コイルＬ３におけるパワーデバイス１１側の端子の電圧を上昇させる幅を、パワーデバイス１２において繰り返すオン／オフのデューティ比によって調整する。
【００５５】
同様に、制御部８は、端子Ｔ２の電位を基準として端子Ｔ１に負の電圧が印加されている間、パワーデバイス１２をオフに維持した状態で、パワーデバイス１４のオン／オフを繰り返す。
【００５６】
制御部８がパワーデバイス１４をオンにした場合、電流は端子Ｔ２からコイルＬ４、パワーデバイス１４、ダイオードＤ２、コイルＬ３及び端子Ｔ１の順に流れる。その後、制御部８がパワーデバイス１４をオフにした場合、コイルＬ４は、自身に流れる電流の変化がなくなるように、即ち、同様の電流が流れ続けるように、コイルＬ４におけるパワーデバイス１４側の端子の電圧を上昇させる。これにより、電流がコイルＬ４、ダイオードＤ３、コンデンサＣ３、ダイオードＤ２、及び、コイルＬ３を経由する経路に流れる。
【００５７】
該経路に流れる電流の量は、コイルＬ４におけるパワーデバイス１４側の端子の電圧が大きい程多量となる。また、制御部８は、コイルＬ４におけるパワーデバイス１４側の端子の電圧を上昇させる幅を、パワーデバイス１４において繰り返すオン／オフのデューティ比によって調整する。
【００５８】
制御部８は、端子Ｔ１，Ｔ２間に印加される交流電圧と、コンデンサＣ３の両端子間に印加される直流電圧とを監視している。制御部８は、端子Ｔ１，Ｔ２間に印加される交流電圧の位相が端子Ｔ１，Ｔ２間に流れる交流電流の位相と一致し、かつ、コンデンサＣ３の両端子間に印加される直流電圧が一定となるデューティ比で、パワーデバイス１２又は１４のオン／オフを繰り返す。これにより、制御部８は力率を改善する。
【００５９】
また、端子Ｔ２の電位を基準として端子Ｔ１に印加される電圧の正負に関わらず、電流はダイオードＤ３のカソード側の端子からダイオードＤ４のアノード側の端子に流れる。このため、ダイオードＤ４のアノードにおける電位を基準として、ダイオードＤ３のカソードに印加される電圧は常に正であり、端子Ｔ１，Ｔ２間に印加される交流電圧は直流電圧に整流される。整流された直流電圧はコンデンサＣ３によって平滑化され、平滑化された直流電圧は第２回路６２に出力される。
【００６０】
第２回路６２は、第１回路６１が出力した直流電圧を周波数が１０ｋＨｚから３０ｋＨｚの範囲内にある周波数、例えば２０ｋＨｚの交流電圧に変換し、変換した交流電圧を変圧器６４のコイルＬ１の両端子間に印加する。
【００６１】
一例として、制御部８は、受付部７がＡＣ／ＤＣ変換指示を受け付けた場合、パワーデバイス２１，２４夫々がオンであってパワーデバイス２２，２３夫々がオフである第１状態と、パワーデバイス２１，２４夫々がオフであってパワーデバイス２２，２３夫々がオンである第２状態とを交互に作り出す。
【００６２】
ここで、制御部８は、第１状態（又は第２状態）から第２状態（又は第１状態）を作り出す場合、一旦、第１状態（又は第２状態）からパワーデバイス２１，２２，２３，２４夫々がオフである停止状態を作り出した後に第２状態（又は第１状態）を作り出す。制御部８がパワーデバイス２１，２２，２３，２４夫々をオフにした場合、第２回路６２は動作を停止する。
【００６３】
制御部８が第１状態を作り出した場合、図３において、第１回路６１による直流電圧の出力によって、電流はパワーデバイス２１、変圧器６４のコイルＬ１、及び、パワーデバイス２４の順に流れる。
【００６４】
このとき、変圧器６４のコイルＬ１では、パワーデバイス２１側の端子からパワーデバイス２４側の端子に電流が流れる。このため、変圧器６４のコイルＬ１において、パワーデバイス２１側の端子の電位はパワーデバイス２４側の端子の電位に対して高い。
【００６５】
制御部８が第２状態を作り出した場合、図３において、第１回路６１による直流電圧の出力によって、電流はパワーデバイス２３、変圧器６４のコイルＬ１、及び、パワーデバイス２２の順に流れる。
【００６６】
このとき、変圧器６４のコイルＬ１では、パワーデバイス２４側の端子からパワーデバイス２１側の端子に電流が流れる。このため、変圧器６４のコイルＬ１において、パワーデバイス２１側の端子の電位はパワーデバイス２４側の端子の電位に対して低い。
【００６７】
これにより、制御部８は、第１及び第２状態を、１０ｋＨｚから３０ｋＨｚの範囲内にある周波数、例えば２０ｋＨｚの逆数である時間間隔５０μｓで交互に作り出すことによって、第１回路６１が出力した直流電圧は交流電圧に変換される。変換された交流電圧は変圧器６４のコイルＬ１の両端子間に印加される。
【００６８】
変圧器６４は、第２回路６２によってコイルＬ１の両端子間に印加された交流電圧を変圧し、変圧した交流電圧はコイルＬ２の両端子から第３回路６３に出力する。コイルＬ２の両端子から出力される交流電圧の振幅は、コイルＬ１，Ｌ２の巻数比と、コイルＬ１の両端子間に印加された交流電圧の振幅によって決まる。
【００６９】
第３回路６３は、変圧器６４のコイルＬ２の両端子から出力される交流電圧を直流電圧に整流し、整流した直流電圧を平滑化する。制御部８は、受付部７がＡＣ／ＤＣ変換指示を受け付けて交流電圧から直流電圧への変換が行われている間、パワーデバイス３１，３２，３３，３４夫々をオフに維持する。
【００７０】
第３回路６３内において、ダイオードＤ９，Ｄ１０，Ｄ１１，Ｄ１２は、図４に示すように、ブリッジ回路を構成しており、変圧器６４のコイルＬ２の両端子から出力された交流電圧を直流電圧に整流する。
【００７１】
コイルＬ２のパワーデバイス３４側の端子の電位を基準として、コイルＬ２のパワーデバイス３１側の端子に正の電圧が印加した場合、電流は、ダイオードＤ９、コンデンサＣ４、及び、ダイオードＤ１２の順に流れる。また、コイルＬ２のパワーデバイス３４側の端子の電位を基準として、コイルＬ２のパワーデバイス３１側の端子に負の電圧が印加した場合、電流は、ダイオードＤ１１、コンデンサＣ４、及び、ダイオードＤ１０の順に流れる。
【００７２】
このとき、コイルＬ２のパワーデバイス３４側の端子の電位を基準として、コイルＬ２のパワーデバイス３１側の端子に印加される電圧の正負に関わらず、コンデンサＣ４には、ダイオードＤ１１のカソード側の端子からダイオードＤ１２のアノード側の端子に向かう方向に電流が流れる。このため、ダイオードＤ１２のアノードにおける電位を基準としたダイオードＤ１１のカソードにおける電圧は常に正であり、コイルＬ２の両端子から出力された交流電圧は直流電圧に整流される。
【００７３】
整流された直流電圧はコンデンサＣ４によって平滑化され、平滑化された直流電圧は端子Ｕ１，Ｕ２からバッテリ２に印加される。これによりバッテリ２が給電される。
【００７４】
制御部８は、端子Ｕ１，Ｕ２間の電圧、即ち、バッテリ２の電圧を監視している。制御部８は、端子Ｕ１，Ｕ２間の電圧が第１電圧を超えてバッテリ２が満充電になり、変換装置１による交流電圧から直流電圧への変換を停止すべきと判定した場合、パワーデバイス１２，１４，２１，２２，２３，２４夫々をオフにする。これにより、変換装置１による交流電圧から直流電圧への変換が停止する。
【００７５】
次に、電気機器４が端子Ｓ１，Ｓ２間に接続して端子Ｒ１，Ｒ２が開放された状態で、ＤＣ／ＡＣ変換指示を受け付けた変換装置１が行う動作の一例を説明する。
【００７６】
受付部７は、ＤＣ／ＡＣ変換指示を受け付け、ＤＣ／ＡＣ変換指示を受け付けた旨を制御部８に通知する。制御部８は、受付部７がＤＣ／ＡＣ変換指示を受け付けた場合、スイッチ９ａ，９ｂ夫々をオンにする。
【００７７】
第３回路６３は、バッテリ２によって端子Ｕ１，Ｕ２間に印加された直流電圧を周波数が１０ｋＨｚから３０ｋＨｚの範囲内にある周波数、例えば２０ｋＨｚの交流電圧に変換し、変換した交流電圧を変圧器６４のコイルＬ２の両端子間に印加する。
【００７８】
一例として、制御部８は、受付部７がＤＣ／ＡＣ変換指示を受け付けた場合、パワーデバイス３１，３４夫々がオンであってパワーデバイス３２，３３夫々がオフである第３状態と、パワーデバイス３１，３４夫々がオフであってパワーデバイス３２，３３夫々がオンである第４状態とを交互に作り出す。
【００７９】
ここで、制御部８は、第３状態（又は第４状態）から第４状態（又は第３状態）を作り出す場合、一旦、第３状態（又は第４状態）からパワーデバイス２１，２２，２３，２４夫々がオフである停止状態を作り出した後に第４状態（又は第３状態）を作り出す。制御部８がパワーデバイス３１，３２，３３，３４夫々をオフにした場合、第３回路６３は動作を停止する。
【００８０】
制御部８が第３状態を作り出した場合、図４において、バッテリ２による端子Ｕ１，Ｕ２間への直流電圧の印加によって、電流はパワーデバイス３１、変圧器６４のコイルＬ２、及び、パワーデバイス３４の順に流れる。
【００８１】
このとき、変圧器６４のコイルＬ２では、パワーデバイス３１側の端子からパワーデバイス３４側の端子に電流が流れる。このため、変圧器６４のコイルＬ２において、パワーデバイス３１側の端子の電位はパワーデバイス３４側の端子の電位に対して高い。
【００８２】
制御部８が第４状態を作り出した場合、図４において、バッテリ２による端子Ｕ１，Ｕ２間への直流電圧の印加によって、電流はパワーデバイス３３、変圧器６４のコイルＬ２、及び、パワーデバイス３２の順に流れる。
【００８３】
このとき、変圧器６４のコイルＬ２では、パワーデバイス３４側の端子からパワーデバイス３１側の端子に電流が流れる。このため、変圧器６４のコイルＬ２において、パワーデバイス３１側の端子の電位はパワーデバイス３４側の端子の電位に対して低い。
【００８４】
制御部８は、第３及び第４状態を、１０ｋＨｚから３０ｋＨｚの範囲内にある周波数、例えば２０ｋＨｚの逆数である時間間隔５０μｓで交互に作り出すことによって、バッテリ２が端子Ｕ１，Ｕ２間に印加した直流電圧は交流電圧に変換される。変換された交流電圧は変圧器６４のコイルＬ２の両端子間に印加される。
【００８５】
変圧器６４は、第３回路６３によってコイルＬ２の両端子間に印加された交流電圧を変圧し、変圧した交流電圧はコイルＬ１の両端子から第２回路６２に出力する。コイルＬ１の両端子から出力される交流電圧の振幅は、コイルＬ１，Ｌ２の巻数比と、コイルＬ２の両端子間に印加された交流電圧の振幅によって決まる。
【００８６】
第２回路６２は、変圧器６４のコイルＬ１の両端子から出力される交流電圧を直流電圧に整流し、整流した直流電圧を第１回路６１に出力する。制御部８は、受付部７がＤＣ／ＡＣ変換指示を受け付けて直流電圧から交流電圧への変換が行われている間、パワーデバイス２１，２２，２３，２４夫々をオフに維持する。
【００８７】
第２回路６２内において、ダイオードＤ５，Ｄ６，Ｄ７，Ｄ８は、図３に示すように、ブリッジ回路を構成しており、変圧器６４のコイルＬ１の両端子から出力された交流電圧を直流電圧に整流する。
【００８８】
コイルＬ１のパワーデバイス２４側の端子の電位を基準として、コイルＬ１のパワーデバイス２１側の端子に正の電圧が印加した場合、電流は、ダイオードＤ５、第１回路６１のコンデンサＣ３、及び、ダイオードＤ８の順に流れる。また、コイルＬ１のパワーデバイス２４側の端子の電位を基準として、コイルＬ１のパワーデバイス２１側の端子に負の電圧が印加した場合、電流は、ダイオードＤ７、第１回路６１のコンデンサＣ３、及び、ダイオードＤ６の順に流れる。
【００８９】
このとき、コイルＬ１のパワーデバイス２４側の端子の電位を基準として、コイルＬ１のパワーデバイス２１側の端子に印加される電圧の正負に関わらず、コンデンサＣ３には、ダイオードＤ５のカソード側の端子からダイオードＤ６のアノード側の端子に向かう方向に電流が流れる。このため、ダイオードＤ６のアノードにおける電位を基準としたダイオードＤ５のカソードにおける電圧は常に正であり、コイルＬ１の両端子から出力された交流電圧は直流電圧に整流される。整流された直流電圧は第１回路６１に出力される。
【００９０】
第１回路６１は、第２回路６２が出力した直流電圧を平滑化し、平滑化した直流電圧を周波数が５０Ｈｚ又は６０Ｈｚである交流電圧に変換し、変換した交流電圧をコンデンサＣ１の両端子間に印加する。変換装置１が直流電圧を交流電圧に変換する場合において、第１回路６１はインバータとして機能する。
第１回路６１内において、第２回路６２が出力した直流電圧はコンデンサＣ３によって平滑化される。
【００９１】
図５は、第１回路６１をインバータとして機能させる制御部８の制御を説明するための説明図である。制御部８は、パワーデバイス１１，１２，１３，１４夫々をオン／オフすることによって、第１回路６１をインバータとして機能させる。
【００９２】
まず、制御部８は、受付部７がＤＣ／ＡＣ変換指示を受け付けた場合、５０Ｈｚ又は６０Ｈｚの正弦波の半周期を繰り返す正弦波信号８ａと、のこぎり波信号８ｂとを生成し、正弦波信号８ａとのこぎり波信号８ｂとを比較する。制御部８は、正弦波信号８ａ及びのこぎり波信号８ｂを比較することによって、正弦波信号８ａがのこぎり波信号８ｂを上回っている期間にＨｉｇｈとなり、正弦波信号８ａがのこぎり波信号８ｂを下回っている期間にＬｏｗとなるＰＷＭ（Pulse Width Modulation）信号８ｃを生成する。図５Ａには正弦波状信号８ａ及びのこぎり波信号８ｂを示し、図５Ｂには、ＰＷＭ信号８ｃを示している。図５Ｂにおいて、Ｈｉｇｈ及びＬｏｗ夫々をＨ及びＬによって表示している。
ＰＷＭ信号８ｃでは、図５に示すように、正弦波信号８ａの値の大小に応じてデューティ比が大小となっている。
【００９３】
制御部８によるパワーデバイス１１，１２，１３，１４夫々のオン／オフ方法は２種類あり、制御部８は、正弦波信号８ａにおける半周期毎に２種類のオン／オフ方法を交互に実行する。以下では、制御部８が１種類のオン／オフ方法を実行する期間を第１期間とし、制御部８がもう１種類のオン／オフ方法を実行する期間を第２期間とする。
【００９４】
制御部８は、第１期間中、パワーデバイス１４をオンに、パワーデバイス１２，１３夫々をオフに維持した状態で、パワーデバイス１１のゲートにＰＷＭ信号８ｃを入力する。パワーデバイス１１は、ＰＷＭ信号８ｃがＨｉｇｈである場合にゲートに所定電圧以上の電圧が印加されてオンとなり、ＰＷＭ信号８ｃがＬｏｗである場合にゲートの電圧が所定電圧以下となってオフとなる。
【００９５】
制御部８がパワーデバイス１１をオンにした場合、電流は、パワーデバイス１１、コイルＬ３、スイッチ９ａ、電気機器４、スイッチ９ｂ、コイルＬ４及びパワーデバイス１４を経由する経路に、端子Ｔ１，Ｔ２，Ｓ１，Ｓ２を介して流れる。ここで、コイルＬ３，Ｌ４は、自身に流れる電流の変化をなくすように作用するため、この経路に流れる電流の量は徐々に多くなる。このように電流が流れている間、コイルＬ３，Ｌ４夫々ではエネルギー蓄積されている。
【００９６】
制御部８がパワーデバイス１１をオフにした場合、コイルＬ３，Ｌ４に蓄積されていたエネルギーが放出され、電流がコイルＬ３、スイッチ９ａ、電気機器４、スイッチ９ｂ、コイルＬ４、パワーデバイス１４及びダイオードＤ２の順に端子Ｔ１，Ｔ２，Ｓ１，Ｓ２を介して流れる。このように流れる電流は、コイルＬ３，Ｌ４に蓄積されているエネルギーが放出されるにつれて減少する。
第１期間中、パワーデバイス１１のオン／オフに関わらず、電流は端子Ｓ１から端子Ｓ２に向かって流れるため、端子Ｓ２の電位を基準として端子Ｓ１に正の電圧が印加される。
【００９７】
制御部８は、第１期間中、ＰＷＭ信号８ｃに従ってパワーデバイス１１のオン／オフをすることにより、端子Ｓ１の電位を基準として正弦波状の交流電圧が正となる部分を端子Ｓ１に印加する。
【００９８】
制御部８は、第２期間中、パワーデバイス１２をオンに、パワーデバイス１１，１４夫々をオフに維持した状態で、パワーデバイス１３のゲートにＰＷＭ信号８ｃを入力する。パワーデバイス１１は、ＰＷＭ信号８ｃがＨｉｇｈである場合にゲートに所定電圧以上の電圧が印加されてオンとなり、ＰＷＭ信号８ｃがＬｏｗである場合にゲートの電圧が所定電圧以下となってオフとなる。
【００９９】
制御部８がパワーデバイス１３をオンにした場合、電流は、パワーデバイス１３、コイルＬ４、スイッチ９ｂ、電気機器４、スイッチ９ａ、コイルＬ３及びパワーデバイス１２を経由する経路に、端子Ｔ１，Ｔ２，Ｓ１，Ｓ２を介して流れる。ここで、コイルＬ３，Ｌ４は、自身に流れる電流の変化をなくすように作用するため、この経路に流れる電流の量は徐々に多くなる。このように電流が流れている間、コイルＬ３，Ｌ４夫々ではエネルギー蓄積されている。
【０１００】
制御部８がパワーデバイス１３をオフにした場合、コイルＬ３，Ｌ４に蓄積されていたエネルギーが放出され、電流がコイルＬ４、スイッチ９ｂ、電気機器４、スイッチ９ａ、コイルＬ３、パワーデバイス１２及びダイオードＤ４の順に端子Ｔ１，Ｔ２，Ｓ１，Ｓ２を介して流れる。このように流れる電流は、コイルＬ３，Ｌ４に蓄積されているエネルギーが放出されるにつれて減少する。
第２期間中、パワーデバイス１３のオン／オフに関わらず、電流は端子Ｓ２から端子Ｓ１に向かって流れるため、端子Ｓ２の電位を基準として端子Ｓ１に負の電圧が印加される。
【０１０１】
制御部８は、第２期間中、ＰＷＭ信号８ｃに従ってパワーデバイス１３のオン／オフをすることにより、端子Ｓ１の電位を基準として正弦波状の交流電圧が負となる部分を端子Ｓ１に印加する。
【０１０２】
制御部８は、以上のように、パワーデバイス１１，１２，１３，１４をオン／オフすることによって第１回路６１をインバータとして機能させた場合に、端子Ｔ１，Ｔ２から出力される交流電圧の波形は、５０Ｈｚ又は６０Ｈｚの正弦波状の波形に、のこぎり波信号８ｂの繰り返し周波数、例えば２０ｋＨｚで振動する波形を重畳した波形である。コンデンサＣ１は、端子Ｔ１，Ｔ２から出力される交流電圧からのこぎり波信号８ｂの繰り返し周波数の周波数成分を除去するために使用される。
【０１０３】
コンデンサＣ１のインピーダンスは、周波数が高い交流電圧に対しては低い。このため、端子Ｔ１，Ｔ２から出力される交流電圧の高周波成分に係る交流電流は、端子Ｔ１（又は端子Ｔ２）からコンデンサＣ１を通過して端子Ｔ２（又は端子Ｔ１）に還流し、端子Ｓ１（又は端子Ｓ２）に流れることはない。これにより、端子Ｔ１，Ｔ２間に印加された交流電圧の高周波成分、即ち、所定周波数（カットオフ周波数）を超える周波数の成分が除去され、高周波成分が除去された正弦波状の交流電圧が端子Ｓ１，Ｓ２間に印加される。
ここで、カットオフ周波数はコンデンサＣ１の容量によって決まり、コンデンサＣ１の容量が大きい程低い。
【０１０４】
コンデンサＣ１の容量は、変換部６が端子Ｔ１，Ｔ２から出力した交流電圧からのこぎり波信号８ｂの繰り返し周波数の周波数成分を除去することが可能な容量であり、１μＦから１０μＦの範囲内の値、例えば５μＦである。コンデンサＣ１の容量はコンデンサＣ２の容量よりも大きい容量に設定されている。
なお、コンデンサＣ１は特許請求の範囲における第２コンデンサに該当する。
【０１０５】
スイッチ９ａ，９ｂ夫々がオンである場合、コンデンサＣ２も端子Ｔ１，Ｔ２間に接続されているため、コンデンサＣ２は端子Ｔ１，Ｔ２から出力された交流電圧に影響を与える。しかしながら、コンデンサＣ２の容量はコンデンサＣ１の容量よりも小さいため、端子Ｔ１，Ｔ２から出力された交流電圧への影響はコンデンサＣ１の影響が支配的になり、コンデンサＣ２の影響は小さい。
【０１０６】
制御部８は、端子Ｕ１，Ｕ２間の電圧が第１電圧よりも低い第２電圧を下回ってバッテリ２の容量が所定容量以下となり直流電圧から交流電圧への変換を停止すべきと判定した場合、パワーデバイス１１，１２，１３，１４，３１，３２，３３，３４夫々をオフにする。これにより、変換装置１による交流電圧から直流電圧への変換が停止する。
【０１０７】
以上のように、変換装置１では、受付部７がＡＣ／ＤＣ変換指示を受け付けた場合、交流電源３が端子Ｒ１，Ｒ２間に印加した交流電圧の高周波ノイズを、コンデンサＣ２を有するノイズフィルタ５によって除去し、ノイズフィルタ５によって高周波ノイズを除去した交流電圧を直流電圧に変換する。また、変換装置１では、受付部７がＤＣ／ＡＣ変換指示を受け付けた場合、変換部９はバッテリ２が端子Ｕ１，Ｕ２間に印加した直流電圧を交流電圧に変換する。変換部９の端子Ｔ１，Ｔ２から出力された交流電圧の高周波成分をコンデンサＣ２よりも容量が大きいコンデンサＣ１によって除去し、高周波成分を除去した交流電圧を端子Ｓ１，Ｓ２から電気機器４に印加する。
【０１０８】
図６は制御部８が実行する動作の手順を示すフローチャートである。まず、制御部８は、受付部７がＡＣ／ＤＣ変換指示を受け付けたか否かを判定する（ステップＳ１）。
【０１０９】
制御部８は、ＡＣ／ＤＣ変換指示を受け付けたと判定した場合（ステップＳ１：ＹＥＳ）、スイッチ９ａ及び９ｂをオフにする（ステップＳ２）。これにより、交流電源３が端子Ｒ１，Ｒ２間に印加した交流電圧の高周波ノイズはコンデンサＣ２を有するノイズフィルタ５によって除去される。
【０１１０】
次に、制御部８は、パワーデバイス１２，１４，２１，２２，２３，２４をオン／オフすることによって、交流電源３が端子Ｒ１，Ｒ２間に印加する交流電圧を直流電圧に変換する（ステップＳ３）。ステップＳ３で変換した直流電圧は、端子Ｕ１，Ｕ２から出力され、バッテリ２が給電される。なお、制御部８は、交流電圧から直流電圧への変換が行われている間、パワーデバイス１１，１３，３１，３２，３３，３４夫々をオフに維持している。
【０１１１】
次に、制御部８は、端子Ｕ１，Ｕ２間の電圧に基づいて交流電圧から直流電圧への変換を停止すべきか否かを判定する（ステップＳ４）。制御部８は、端子Ｕ１，Ｕ２間の電圧が第１電圧を超えてバッテリ２が満充電となった場合に交流電圧から直流電圧への変換を停止すべきと判定し、そうでない場合に停止すべきでないと判定する。
【０１１２】
制御部８は、直流電圧への変換を停止すべきでないと判定した場合（ステップＳ４：ＮＯ）、処理をステップＳ３に戻し、バッテリ２が満充電となって交流電圧から直流電圧への変換を停止すべきと判定するまで、交流電圧から直流電圧への変換を繰り返す。
【０１１３】
制御部８は、直流電圧への変換を停止すべきと判定した場合（ステップＳ４：ＹＥＳ）、パワーデバイス１２，１４，２１，２２，２３，２４を全てオフにすることによって交流電圧から直流電圧への変換を停止する（ステップＳ５）。
【０１１４】
制御部８は、ＡＣ／ＤＣ変換指示を受け付けていないと判定した場合（ステップＳ１：ＮＯ）、受付部７がＤＣ／ＡＣ変換指示を受け付けたか否かを判定する（ステップＳ６）。
【０１１５】
制御部８は、ＤＣ／ＡＣ変換指示を受け付けていないと判定した場合（ステップＳ６：ＮＯ）、処理をステップＳ１に戻し、ＡＣ／ＤＣ変換指示又はＤＣ／ＡＣ変換指示を受け付けるまでステップＳ１及びＳ６の判定を繰り返す。
【０１１６】
制御部８は、ＤＣ／ＡＣ変換指示を受け付けたと判定した場合（ステップＳ６：ＹＥＳ）、スイッチ９ａ及び９ｂをオンにする（ステップＳ７）。
【０１１７】
次に、制御部８は、パワーデバイス１１，１２，１３，１４，３１，３２，３３，３４をオン／オフすることによって、端子Ｕ１，Ｕ２に印加された直流電圧を交流電圧に変換する（ステップＳ８）。ステップＳ８で変換した交流電圧は、端子Ｔ１，Ｔ２から電気機器４に印加され、電気機器４に給電される。なお、制御部８は、直流電圧から交流電圧への変換が行われている間、パワーデバイス２１，２２，２３，２４夫々をオフに維持している。
【０１１８】
次に、制御部８は、直流電圧から交流電圧への変換を停止すべきか否かを判定する（ステップＳ９）。制御部８は、端子Ｕ１，Ｕ２間の電圧が第１電圧よりも低い第２電圧を下回ってバッテリ２の容量が所定容量以下となった場合に、直流電圧から交流電圧への変換を停止すべきと判定し、そうでない場合に停止すべきでないと判定する。
【０１１９】
制御部８は、交流電圧への変換を停止すべきでないと判定した場合（ステップＳ９：ＮＯ）、処理をステップＳ８に戻し、バッテリ２の容量が所定容量以下となって直流電圧から交流電圧への変換を停止すべきと判定するまで、直流電圧から交流電圧への変換を繰り返す。
【０１２０】
制御部８は、交流電圧への変換を停止すべきと判定した場合（ステップＳ９：ＹＥＳ）、パワーデバイス１１，１２，１３，１４，３１，３２，３３，３４を全てオフにすることによって直流電圧から交流電圧への変換を停止する（ステップＳ１０）。制御部８は、ステップＳ５又はＳ１０を実行した後、動作を終了する。その後、制御部８は改めてステップＳ１から処理を行う。
【０１２１】
なお、コンデンサＣ１は１μＦから１０μＦの範囲内の値に限定されず、コンデンサＣ２の容量は１０ｎＦから１０００ｎＦの範囲内の値に限定されない。
また、変換装置１は、コンデンサＣ２の一方の端子と、スイッチ９ａ及び端子Ｔ１の接続ノードとの間に１つのスイッチを、コンデンサＣ２の他方の端子と、スイッチ９ｂ及び端子Ｔ２の接続ノードとの間にもう１つのスイッチを設けてもよい。この場合、制御部８は、この２つのスイッチ夫々を、受付部７がＡＣ／ＤＣ変換指示を受け付けた場合にオンに、受付部７がＤＣ／ＡＣ変換指示を受け付けた場合にオフにする。これにより、変換装置１が直流電圧を交流電圧に変換する場合において、端子Ｔ１，Ｔ２から出力される交流電圧の高周波成分はコンデンサＣ１によって除去され、コンデンサＣ２の影響を排除することができる。
【０１２２】
また、端子Ｒ１，Ｒ２夫々が端子Ｓ１，Ｓ２を兼ねるように構成し、交流電源３、及び、電気機器４が接続する端子を同じにしてもよい。この場合、コンデンサＣ２の一方の端子と、スイッチ９ａ及び端子Ｔ１の接続ノードとの間に１つのスイッチを、コンデンサＣ２の他方の端子と、スイッチ９ｂ及び端子Ｔ２の接続ノードとの間にもう１つのスイッチを設ける。制御部８は、この２つのスイッチ夫々を、受付部７がＡＣ／ＤＣ変換指示を受け付けた場合にオンに、受付部７がＤＣ／ＡＣ変換指示を受け付けた場合にオフにする。
【０１２３】
開示された本実施の形態は、全ての点で例示であって制限的なものではないと考えられるべきである。本発明の範囲は上述の説明ではなく特許請求の範囲によって示され、特許請求の範囲と均等の意味及び範囲内での全ての変更が含まれることが意図される。
【符号の説明】
【０１２４】
１  変換装置
９ａ，９ｂ  スイッチ
Ｃ１，Ｃ２  コンデンサ
Ｔ１，Ｔ２  端子
【図１】
0005811886.tif 000002
【図２】
0005811886.tif 000003
【図３】
0005811886.tif 000004
【図４】
0005811886.tif 000005
【図５】
0005811886.tif 000006
【図６】
0005811886.tif 000007